(57)【要約】【課題】スピーカなどの機器を天井や側壁などの取付面に取り付ける際又は取付後に所望の位置への正確な位置決めを簡単かつ安全に行うことができる機器取付装置を提供する。【解決手段】スピーカユニット６０を壁部７０の取付面に取り付けるためのスピーカ取付装置１であって、スピーカユニット６０側に固定される支持具１０と、壁部７０の取付面側に固定される固定プレート３０と、支持具１０に設けた内径ギヤ１８と固定プレート３０に設けられた外径ギヤ３８とからなる位置決め機構４０を備える。支持具１０又はそれに固定したスピーカユニット６０の自重によって位置決め機構４０の内径ギヤ１８が外径ギヤ３８に係合する。これにより、固定プレート３０に対する支持具１０の軸部３６周りの相対回転移動が阻止されて、固定プレート３０に対する支持具１０の周方向（回転方向）の位置決めがなされる。【選択図】図１
2013258531.tif 000002
【特許請求の範囲】
【請求項１】
機器を壁部などの取付面に取り付けるための機器取付装置であって、
前記機器側に固定される第１部材と、
前記取付面側に固定される第２部材と、
前記第１部材に設けた係合部と、前記第２部材に設けられて前記係合部を係合させる被係合部とからなる位置決め機構と、を備え、
前記位置決め機構は、前記第１部材及び前記機器の自重によって前記係合部が前記被係合部に係合する構成であり、前記係合部が前記被係合部に係合すると、前記第２部材に対する前記第１部材の相対移動が阻止されて、前記第２部材に対する前記第１部材の位置決めがなされる
ことを特徴とする機器取付装置。
【請求項２】
前記第１部材と前記第２部材のいずれか一方に設けた軸部と、前記第１部材と前記第２部材の他方に設けられて前記軸部を挿入する挿入部とによって前記第２部材に対して前記第１部材を回転可能に支持する回転機構をさらに備え、
前記軸部を前記挿入部に挿入した状態で、前記係合部が前記被係合部に係合することで、前記第１部材の前記軸部周りの回動が阻止される
ことを特徴とする請求項１に記載の機器取付装置。
【発明の詳細な説明】
【技術分野】
【０００１】
本発明は、壁部や柱などの取付面にスピーカユニットなどの機器を取り付けるための機器取付装置に関する。
【背景技術】
【０００２】
従来、スピーカユニットや照明装置などの各種機器を室内の天井や側壁や柱などの取付面に取り付けるための機器取付具として、例えば、特許文献１に示すスピーカ装置用取付具がある。特許文献１に記載のスピーカ装置用取付具は、スピーカユニットを壁や柱などに取り付ける際に、その上下方向及び水平方向の向き（取付角度）を調整することが可能な取付具である。
【０００３】
上記の取付具では、予めスピーカユニットをスピーカ側取付部材に固定しておくと共に、棒状部を有する固定用の別部材を天井側に固定しておき、その状態で、天井側に固定した部材の棒状部にスピーカ側取付部材を通し、該取付部材を捧状部の希望の位置へ移動して、その位置で棒状部を中心軸とする周方向に回転させて希望の周方向位置を決める。その状態で、取付部材のツマミ部を回動することで、取付部材を希望の位置で希望の周方向へ向けて固定するようになっている。
【０００４】
しかしながら、この特許文献１に示すスピーカ取付具では、ツマミ部を完全に締めるまでは、棒状部に対する取付部材の位置及び角度（向き）が定まらない。そのため、スピーカユニット及び取付部材を手で支えていなければならない。すなわち、取付部材を希望の位置で希望の方向に向け、その状態でスピーカユニットを一方の手で支えながら他方の手でツマミ部を締め付けなければならない。この作業は、室内の天井付近において作業者の頭上の高い位置で行われることもあって、非常に困難な作業となる。また、取付部材にスピーカユニットを固定した後でも、スピーカユニットの位置や向きを更に調整する必要が生じることがある。その場合にも、スピーカユニットが固定された取付部材を手で支えながらツマミ部を緩めたり締めたりする必要がある。また、上記の作業中にスピーカユニットを支えている手を誤って離してしまうと、スピーカユニットが落下するおそれもある。そのため、上記のスピーカ取付具を用いたスピーカユニットの取付作業は、一人の作業者が行うには危険が伴う上に非常に手間のかかる作業となる。
【０００５】
このように、従来のスピーカ取付装置では、壁や天井にスピーカユニットを取り付ける際の位置決め、あるいは取付後に角度調節を行う際の位置決めは、スピーカユニットを手で支えた状態で、ネジなどの締結具を締結するなど他の作業を同時に行う必要があった。したがって、スピーカユニットを所望の位置や向きに位置決めした状態で取り付けることが容易に行えなかった。また、スピーカユニットの取付作業における安全性の確保にも課題があった。
【先行技術文献】
【特許文献】
【０００６】
【特許文献１】特開２００１−３１７５０８号公報
【発明の概要】
【発明が解決しようとする課題】
【０００７】
本発明は上述の点に鑑みてなされたものであり、その目的は、スピーカなどの機器を天井や側壁などの取付面に取り付ける際又は取付後に所望の位置への正確な位置決めを簡単かつ安全に行うことができる機器取付装置を提供することにある。
【課題を解決するための手段】
【０００８】
上記課題を解決するため、本発明にかかる機器取付装置は、機器（６０）を壁部（７０）などの取付面に取り付けるための機器取付装置（１）であって、前記機器（６０）側に固定される第１部材（１０）と、前記取付面側に固定される第２部材（３０）と、前記第１部材（１０）に設けた係合部（１８）と、前記第２部材（３０）に設けられて前記係合部（１８）を係合させる被係合部（３８）とからなる位置決め機構（４０）と、を備え、前記位置決め機構（４０）は、前記第１部材（１０）及び前記機器（６０）の自重によって前記係合部（１８）が前記被係合部（３８）に係合する構成であり、前記係合部（１８）が前記被係合部（３８）に係合すると、前記第２部材（３０）に対する前記第１部材（１０）の相対移動が阻止されて、前記第２部材（３０）に対する前記第１部材（１０）の位置決めがなされることを特徴とする。
【０００９】
本発明にかかる機器取付装置によれば、第１部材及び機器の自重によって係合部が被係合部に係合する構成の位置決め機構を設け、この位置決め機構が係合すると、第２部材に対する第１部材の相対移動が阻止されて、第２部材に対する第１部材の位置決めがなされるようにした。これにより、機器の位置決めを行う際に、機器を手で支えた状態で他の作業を同時に行うことなく、機器の自重を利用して係合部を被係合部に係合させるだけの簡単かつ安全な作業で機器の位置決めを正確に行うことが可能となる。したがって、天井や側壁などの取付面に機器を取り付けるときの位置決め作業、又は取付後の位置決め作業を簡単かつ安全に行うことができる。
【００１０】
また、上記の機器取付装置では、前記第１部材（１０）と前記第２部材（３０）のいずれか一方に設けた軸部（３６）と、前記第１部材（１０）と前記第２部材（３０）の他方に設けられて前記軸部（３６）を挿入する挿入部（１６）とによって前記第２部材（３０）に対して前記第１部材（１０）を回転可能に支持する回転機構（５０）をさらに備え、前記軸部（３６）を前記挿入部（１６）に挿入した状態で、前記係合部（１８）が前記被係合部（３８）に係合することで、前記第１部材（１０）の前記軸部（３６）周りの回動が阻止されるようにしてよい。
【００１１】
この構成によれば、機器の自重を利用してその位置決めを行うことができる位置決め機構によって、第１部材及び機器の軸部周りの回転方向の位置決めを簡単且つ安全に行うことができる。したがって、機器の回転方向の向きを所望の向きに調節することが簡単に行えるようになる。
【００１２】
また、上記の機器取付装置では、前記位置決め機構（４０）の前記係合部と前記被係合部のいずれか一方は、前記軸部（３６）又は前記挿入部（１６）の周囲に形成された複数の内径歯（１８ａ）を有する内径ギヤ（１８）であり、前記係合部と前記被係合部のいずれか他方は、前記軸部（３６）又は前記挿入部（１６）の周囲に形成されて前記内径歯（１８ａ）の外径側に噛合する複数の外径歯（３８ａ）を有する外径ギヤ（３８）であり、前記内径ギヤ（１８）は、前記外径ギヤ（３８）に対して前記軸部（３６）周りの複数位置に切り替えて噛合可能であってよい。
【００１３】
この構成によれば、機器の位置決めにおいて軸部周りの回転方向の向きを決める際に、所望の向きへの位置決めを高い精度で行うことが可能となる。また、上記の位置決め機構では、内径側と外径側とで互いに噛合する内径ギヤと外径ギヤとを備えることで、位置決め機構の係合が不用意に外れるおそれが極めて少なくなる。すなわち、上記構成の回転機構では、軸部が挿入部に挿入されていることで、軸方向の相対移動は許容されている場合があるものの、径方向の相対移動は許容されていない状態である。したがって、仮に、係合部と被係合部が軸方向に係合する構成では、第１部材が軸方向に移動することで係合部と被係合部の係合が不用意に外れるおそれがある。これに対して、上記のように係合部と被係合部が径方向で互いに噛合する構成とすれば、係合部と被係合部の係合が不用意に外れるおそれが無い。これにより、位置決め後の機器の位置ずれを効果的に防止できる。
【００１４】
また、上記の機器取付装置では、前記軸部（３６）の軸方向における途中位置には、その外径寸法が軸方向の他の部分よりも小さな括れ部（３６ｂ）が形成されており、前記軸部（３６）を前記挿入部（１６）に挿入した状態で、前記第１部材（１０）側に取り付けた固定具（１３）を前記括れ部（３６ｂ）に係合させることで、前記挿入部（１６）に対する前記軸部（３６）の抜け止めが施されるように構成してよい。
【００１５】
この構成によれば、括れ部に固定具が係合することで、挿入部から軸部が抜けることを防止できる。したがって、軸部を挿入部に挿入した状態で、第２部材と第１部材が不用意に分解することを防止できるので、第１部材及び第２部材からなる機器取付装置を介して側壁などの取付面に取り付けた機器が誤って落下することを防止できる。
【００１６】
また、上記の機器取付装置では、前記括れ部（３６ｂ）に前記固定具（１３）が係合して前記挿入部（１６）に対する前記軸部（３６）の抜け止めが施されている状態で、前記係合部（１８）と前記被係合部（３８）との係合解除が可能となるようにするとよい。このような構成の一態様として、前記軸部（３６）の軸方向において、前記軸部（３６）が前記挿入部（１６）から抜ける方へ移動する際に前記括れ部（３６ｂ）内で前記固定具（１３）が移動可能な範囲（Ｌ１）を、前記係合部（１８）が前記被係合部（３８）に係合している範囲（Ｌ２）よりも大きな範囲に設定する（Ｌ１＞Ｌ２）ことができる。
【００１７】
この構成によれば、第１部材の軸部周りの位置決めを行うために、第１部材を第２部材に対して軸方向へ移動させることで被係合部に対する係合部の係合を解除しても、挿入部に対する軸部の抜け止めが施された状態を維持できる。これにより、挿入部に対する軸部の抜け止めが施された状態で、第１部材の回転方向の位置決めを行うことができる。したがって、第２部材に対する第１部材及び機器の位置決めを行う際に、第１部材と第２部材が不用意に分解して第１部材及び機器が誤って落下するなどの危険を回避できる。
なお、上記の括弧内の符号は、後述する実施形態における構成要素の符号を本発明の一例として示したものである。
【発明の効果】
【００１８】
本発明にかかる機器取付装置によれば、スピーカユニットなどの機器を取付面に取り付ける際又は取付後の機器の位置決めにおいて、所望の位置への正確な位置決めを簡単かつ安全に行うことができるようになる。
【図面の簡単な説明】
【００１９】
【図１】本発明の一実施形態にかかるスピーカ取付装置を示す斜視図で、支持具と固定プレートを一体に取り付けた状態を示す図である。
【図２】本発明の一実施形態にかかるスピーカ取付装置を示す斜視図で、支持具と固定プレートを分解した状態を示す図である。
【図３】スピーカ取付装置の側面図（一部断面図）である。
【図４】回転機構及びその周辺を示す側断面図である。
【図５】回転機構及び位置決め機構を示す平面図である。
【発明を実施するための形態】
【００２０】
以下、添付図面を参照して本発明の実施形態を詳細に説明する。図１及び図２は、本発明の一実施形態にかかるスピーカ取付装置１を示す斜視図で、図１は、後述する支持具１０と固定プレート３０を一体に取り付けた状態を示す図、図２は、支持具１０と固定プレート３０を分解した状態を示す図である。また、図３は、スピーカユニット６０を壁部７０に取り付けた状態でのスピーカ取付装置１の側面図（一部断面図）であり、後述する図４のＸ−Ｘ矢視を示す図である。これらの図に示すスピーカ取付装置１は、スピーカユニット６０側に固定される支持具（第１部材）１０と、室内の天井７０ａや側壁７０ｂなど壁部７０の取付面に固定される固定プレート（第２部材）３０とを備えて構成されている。
【００２１】
固定プレート３０は、金属製の板材を折り曲げ形成した部材で、その面が一方向へ延伸する上板部３１と、該上板部３１の一端辺から上板部３１の面に対して直交する方向へ延伸する側板部３３と、該側板部３３の先端から上板部３１と平行に延伸する下板部３５とを一体に有する略コ字型の断面形状に形成されている。上板部３１の面と側板部３３の面、及び側板部３３の面と下板部３５の面は、いずれも略直角を成している。また、上板部３１には、固定プレート３０を天井７０ａに固定するためのボルト３２（図３参照）を挿通するボルト孔３１ａが形成されており、側板部３３には、固定プレート３０を側壁７０ｂに固定するためのボルト３４（図３参照）を挿通するボルト孔３３ａが形成されている。なお、以下の説明で上又は下というときは、図３に示すように、固定プレート３０の上板部３１を天井７０ａに固定し、側板部３３を側壁７０ｂに固定した状態で、かつ、固定プレート３０と支持具１０を連結した状態での上又は下を指すものとする。
【００２２】
また、固定プレート３０における下板部３５の上面３５ａには、その軸方向が上板部３１に向かって側板部３３の面と平行に延伸する円柱棒状の軸部３６が立設されている。軸部３６は、その高さ寸法が後述する支持具１０の基部１１の高さ寸法と略同一の寸法に設定されている。また、軸部３６の軸方向（上下方向）における途中位置には、その外径寸法が軸方向の他の部分よりも小さな括れ部３６ｂが形成されている。すなわち、軸部３６は、上段部３６ａと下段部３６ｃの径寸法よりも、それらの間に設けた括れ部３６ｂの径寸法が小さな寸法に設定されている。
【００２３】
一方、固定プレート３０の下板部３５の上面３５ａにおける軸部３６の外周には、内周端面に複数（多数）の外径歯３８ａが形成された外径ギヤ３８が設置されている。外径ギヤ３８は、軸部３６と同心状で半円弧形状の内周端面を有する薄板状の部材であり、その内周端面に形成した外径歯３８ａが軸部３６の外径側を囲む位置に配置されている。
【００２４】
支持具１０は、固定プレート３０側に係合（連結）可能な基部１１と、基部１１に対して揺動軸２５を介して揺動可能に連結されたスピーカ取付板２１とを備える。基部１１は、側面視の形状が略Ｌ字型の部材で、その先端側の端部には、固定プレート３０の軸部３６を回動自在に挿入するための挿入孔（挿入部）１６が形成されている。挿入孔１６は、基部１１の上面１０ｂから下面１０ａに貫通する円筒状の貫通孔からなる。支持具１０の挿入孔１６の内径寸法は、軸部３６の外径寸法（上段部３６ａと下段部３６ｃの外径寸法）よりも僅かに大きな寸法に設定されている。これにより、軸部３６は、挿入孔１６に対して回動自在に挿入される。上記の挿入孔１６と軸部３６とで、支持具１０を固定プレート３０に対して水平方向へ回動可能に支持する回転機構５０が構成されている。図４は、回転機構５０及びその周辺の側断面図で、図３のＹ−Ｙ矢視を示す図である。
【００２５】
また、基部１１の根元側近傍の両側面１１ｃには、スピーカ取付板２１の取付面２２の両側に形成した一対の板状のフランジ部２３が取り付けられている。フランジ部２３は、水平方向に延伸する揺動軸２５で基部１１に対して揺動（回動）可能に取り付けられている。なお、各図では、フランジ部２３は手前側の一方のみを図示している。フランジ部２３における揺動軸２５の外周には、略円弧状のスリット２３ａが形成されており、基部１１の側面１１ｃには、スリット２３ａに挿通させた固定ネジ２６が取り付けられている。固定ネジ２６を緩めてフランジ部２３及びスリット２３ａを固定ネジ２６に対して相対移動させることで、スピーカ取付板２１が基部１１に対して揺動軸２５を中心に上下方向へ揺動（回動）するようになっている。そして、スピーカ取付板２１の取付面２２を所望の角度に設定した状態で、固定ネジ２６を締め付けることで、基部１１に対するスピーカ取付板２１の角度（上下方向の向き）が固定される。
【００２６】
また、基部１１の下面１１ａにおける挿入孔１６の外周には、外周端面に複数（多数）の内径歯１８ａが形成された内径ギヤ１８が設置されている。内径ギヤ１８は、円形環状の薄板状部材であり、その内径歯１８ａが基部１１の側面１１ｃよりも若干外方へ突出した状態で、基部１１の下面１１ａに固定されている。この内径ギヤ１８の内径歯１８ａは、固定プレート３０に設けた外径ギヤ３８の外径歯３８ａと噛合するようになっている。上記の内径ギヤ１８と外径ギヤ３８とで、固定プレート１０に対する支持具１０の軸部３６周りの回転方向の位置決めを行うための位置決め機構４０が構成されている。図５は、位置決め機構４０及び回転機構５０の平面図である。なお、図５では、後述する固定ネジ１３は図示を省略している。
【００２７】
また、支持具１０における基部１１の側面１１ｃには、挿入孔１６内に貫通する固定ネジ（固定具）１３が取り付けられている。固定ネジ１３は、基部１１の側面１１ｃに形成したネジ孔（図４参照）に一杯まで螺合した状態で、その先端１３ａが挿入孔１６内に突出するようになっている。この挿入孔１６内に突出した固定ネジ１３の先端１３ａは、軸部３６の括れ部３６ｂに配置されて、軸部３６に当接係合するようになっている。また、図４（ａ）に示すように、軸部３６の軸方向において、括れ部３６ｂ内で固定ネジ１３が上方向へ相対移動可能な範囲（寸法）Ｌ１は、軸方向で内径ギヤ１８が外径ギヤ３８に係合している範囲（内径ギヤ１８及び外径ギヤ３８の厚み寸法）Ｌ２よりも大きな範囲に設定されている（Ｌ１＞Ｌ２）。また、括れ部３６ｂの深さ寸法は、軸部３６に当接係合する固定ネジ１３を若干緩めた状態で、固定ネジ１３と括れ部３６ｂとの係合が外れない（固定ネジ１３が括れ部３６ｂから抜けない）寸法に設定されている。
【００２８】
ここで、上記構成のスピーカ取付装置１によってスピーカユニット６０を室内の天井７０ａと側壁７０ｂとの間の角部７０ｃへ取り付ける手順を説明する。これにはまず、図２に示すように支持具１０と固定プレート３０を分解した状態で、固定プレート３０を図３に示すボルト３２，３４の締結で天井７０ａ及び側壁７０ｂに固定する。このとき、図３に示すように、固定プレート３０の上板部３１と側板部３３が交わる角部３０ｃを天井７０ａと側壁７０ｂが交わる角部７０ｃに一致させた状態で、上板部３１を天井７０ａに固定すると共に、側板部３３を側壁７０ｂに固定する。これにより、固定プレート３０が天井７０ａ及び側壁７０ｂに固定され、該固定プレート３０の下板部３５が天井７０ａの下方で側壁７０ｂから横方向（水平方向）に突出した状態となる。
【００２９】
その一方で、支持具１０にスピーカユニット６０を固定する。これには、スピーカ取付板２１の取付面２２にボルト２４の締結でスピーカユニット６０の背面６０ａを固定する。これにより、スピーカユニット６０と支持具１０が一体に固定される。なお、スピーカユニット６０を取付面２２に固定する際には、ボルト２４の締結作業が行い易くなるように、固定ネジ２６を緩めて基部１１に対する取付面２２の角度を適宜に調整し、その状態で作業を行うとよい。
【００３０】
その後、図２に矢印Ｚで示すように、固定プレート３０の軸部３６に支持具１０の挿入孔１６を被せることで、軸部３６を挿入孔１６に挿入する。その状態で、支持具１０及びスピーカユニット６０を支えながら、支持具１０及びスピーカユニット６０の自重によって固定プレート３０に対する支持具１０の高さ位置を次第に下降させてゆく。最終的には、図１に示すように、支持具１０の基部１１が固定プレート３０の下板部３５に載置された状態（詳細には、内径ギヤ１８が下板部３５に載置された状態）で、固定プレート３０に対して支持具１０が一体に取り付けられる。
【００３１】
このとき、支持具１０に設けた内径ギヤ１８と固定プレート３０に設けた外径ギヤ３８とが径方向の内側と外側とで互いに噛合する。これにより、支持具１０の軸部３６周りの回動が阻止されて、固定プレート３０に対する支持具１０の位置決め（周方向の位置決め）がなされる。そして、図５に示すように、内径ギヤ１８と外径ギヤ３８はいずれも複数の歯（内径歯１８ａ及び外径歯３８ａ）を有していることから、周方向の複数位置で噛合可能である。具体的には、内径ギヤ１８が有する複数の内径歯１８ａと外径ギヤ３８が有する複数の外径歯３８ａとは、互いの歯１８ａ，３８ａの位置を１個分ずつずらした多数の位置（角度）に噛合可能である。
【００３２】
したがって、支持具１０及びスピーカユニット６０の周方向の向きを調整するには、図４（ｂ）に示すように、支持具１０を軸部３６の軸方向に沿って若干上方へ持ち上げることで、外径ギヤ３８に対する内径ギヤ１８の係合を外し、その状態で、図５（ｂ）に示すように、支持具１０を軸部３６周りに回動させて所望の向きとする。その後、その位置で支持具１０を下降させて再び内径ギヤ１８を外径ギヤ３８に噛合させる。これにより、支持具１０の新たな向きでの位置決めがなされる。
【００３３】
そして、内径ギヤ１８と外径ギヤ３８が互いに噛合している状態で固定ネジ１３を締めることで、図４に示すように、固定ネジ１３の先端１３ａを軸部３６の括れ部３６ｂに係合（当接）させる。これにより、挿入孔１６に対する軸部３６の抜け止めが施されることで、固定プレート３０に対して支持具１０が脱落しない状態となる。したがって、固定プレート３０と支持具１０が不用意に分解することを防止できるので、スピーカ取付装置１で壁部７０に取り付けたスピーカユニット６０が誤って落下することを防止できる。
【００３４】
このとき、図４（ａ）に示すように、軸部３６の軸方向において、固定ネジ１３が括れ部３６ｂに係合した状態で挿入孔１６（支持具１０）が上方へ移動可能な範囲Ｌ１は、内径ギヤ１８が外径ギヤ３８に係合している範囲（内径ギヤ１８と外径ギヤ３８の厚み寸法）Ｌ２よりも大きな範囲（Ｌ１＞Ｌ２）に設定されている。この構成によって、図４（ｂ）に示すように、支持具１０の軸部３６周りの位置決めを行うときに、支持具１０を固定プレート３０に対して軸方向（上方）へ移動させることで外径ギヤ３８と内径ギヤ１８の係合を解除しても、挿入孔１６に対する軸部３６の抜け止めが施された状態を維持できる。これにより、支持具１０が固定プレート３０から外れない状態で、支持具１０の回転方向の位置決めを行うことができる。したがって、固定プレート３０に対する支持具１０及びスピーカユニット６０の位置決めを行う際に、支持具１０と固定プレート３０が不用意に分解して支持具１０及びスピーカユニット６０が誤って落下するなどの危険を回避できる。
【００３５】
以上説明したように、本実施形態のスピーカ取付装置１は、スピーカユニット６０側に固定される支持具１０と、壁部７０側に固定される固定プレート３０と、支持具１０に設けた内径ギヤ（係合部）１８及び固定プレート３０に設けた外径ギヤ（被係合部）３８からなる位置決め機構４０とを備え、支持具１０及びスピーカユニット６０の自重によって位置決め機構４０の内径ギヤ１８が外径ギヤ３８に係合すると、固定プレート３０に対する支持具１０の相対的な回動が阻止されて、固定プレート３０に対する支持具１０の周方向（回転方向）の位置決めがなされるようにした。
【００３６】
このスピーカ取付装置１によれば、支持具１０又はそれに固定したスピーカユニット６０の自重によって係合する位置決め機構４０を設けたことで、スピーカユニット６０の位置決めを行う際に、スピーカユニット６０を手で支えた状態で他の作業を同時に行うことなく、スピーカユニット６０の自重を利用して内径ギヤ１８を外径ギヤ３８に係合させるだけでその位置決めを行うことが可能となる。したがって、天井７０ａや側壁７０ｂなどの壁部７０にスピーカユニット６０を取り付けるときの位置決め作業、又は取付後の位置決め作業を安全かつ簡単に行うことができる。
【００３７】
また、本実施形態のスピーカ取付装置１は、固定プレート３０に設けた軸部３６と、支持具１０に設けた挿入孔１６とによって固定プレート３０に対して支持具１０を回転可能に支持する回転機構５０を備える。そして、この回転機構５０の軸部３６を挿入孔１６に挿入した状態で内径ギヤ１８が外径ギヤ３８に係合することで、支持具１０の軸部３６周りの回動が阻止されるようになっている。
【００３８】
この構成によれば、スピーカユニット６０の自重を利用してその位置決めを行う位置決め機構４０によって、支持具１０及びスピーカユニット６０の軸部３６周り（回転方向）の位置決めを簡単且つ安全に行うことができる。したがって、スピーカユニット６０の回転方向の向きを所望の向きに調節することが簡単に行えるようになる。
【００３９】
また、本実施形態のスピーカ取付装置１では、位置決め機構４０は、挿入孔１６の周囲に形成された複数の内径歯１８ａを有する内径ギヤ１８と、軸部３６の周囲に形成されて内径歯１８ａの外径側に噛合する複数の外径歯３８ａを有する外径ギヤ３８とを備えており、内径ギヤ１８は外径ギヤ３８に対して軸周りの複数位置に切り替えて噛合可能である。
【００４０】
この構成により、スピーカユニット６０の位置決めにおいて軸部３６周りの回転方向の向きを決める際に、所望の向きへの位置決めを高い精度で行うことが可能となる。また、内径側と外径側とで互いに噛合する内径ギヤ１８と外径ギヤ３８とで位置決め機構４０を構成したことで、位置決め機構４０の係合が不用意に外れるおそれが極めて少なくなる。すなわち、支持具１０と固定プレート３０は、軸部３６が挿入孔１６に挿入されていることで、軸方向の相対移動は許容されているものの、径方向の相対移動は許容されていない状態である。したがって、仮に、位置決め機構４０の係合部と被係合部が軸方向で互いに係合する構成を採用すると、支持具１０が軸方向に移動することで、係合部と被係合部の係合が不用意に外れるおそれがある。これに対して、本実施形態では、内径ギヤ１８（係合部）と外径ギヤ３８（被係合部）とが径方向の内側と外側とで互いに噛合する構成であるため、それらの係合が不用意に外れるおそれが無い。これにより、位置決め後のスピーカユニット６０の位置ずれを効果的に防止できる。
【００４１】
また、本実施形態のスピーカ取付装置１では、軸部３６の軸方向における途中位置には、外径寸法が他の部分よりも小さな括れ部３６ｂが形成されており、軸部３６を挿入孔１６に挿入した状態で、支持具１０に取り付けた固定ネジ１３を括れ部３６ｂに係合させることで、挿入孔１６に対する軸部３６の抜け止めが施されるように構成している。
【００４２】
この構成によれば、軸部３６の括れ部３６ｂに固定ネジ１３が係合することで、支持具１０の挿入孔１６から固定プレート３０の軸部３６が抜けることを防止できる。これにより、軸部３６を挿入孔１６に挿入した状態で、固定プレート３０と支持具１０が不用意に分解することを防止できるので、スピーカ取付装置１で壁部７０に取り付けたスピーカユニット６０が誤って落下することを防止できる。
【００４３】
以上、本発明の実施形態を説明したが、本発明は、上記実施形態に限定されるものではなく、特許請求の範囲、及び明細書と図面に記載された技術的思想の範囲内において種々の変形が可能である。例えば、上記実施形態では、本発明にかかる機器取付装置の一例として、上記のスピーカ取付装置１を示したが、本発明にかかる機器取付装置は、壁部や柱などの取付面に機器を取り付けるための取付装置であれば、上記のスピーカ取付装置１以外にも、例えば、ディスプレイ装置、監視力メラ、照明装置など各種の機器を取り付けるための取付装置に適用することが可能である。
【００４４】
また、本発明にかかる位置決め機構を構成する係合部と被係合部は、上記実施形態に示すように、複数の歯（内径歯１８ａ及び外径歯３８ａ）を有するギヤには限らず、それ以外にも例えば、互いが一点のみで係合する係合溝と係合突起などを有する係合機構であってもよい。また、上記実施形態では、スピーカ取付装置１の支持具１０に内径ギヤ１８を設け、固定プレート３０に外径ギヤ３８を設けた場合を示したが、これとは逆に、図示は省略するが、固定プレート３０に内径ギヤを設け、支持具１０に外径ギヤを設けることも可能である。
【００４５】
また、上記実施形態のスピーカ取付装置１では、固定プレート３０に設けた軸部３６と支持具１０に設けた挿入孔１８とで固定プレート３０に対して支持具１０を回転可能に支持する回転機構５０を構成したが、これ以外にも、図示は省略するが、回転機構の軸部を支持具１０に設け、挿入孔（挿入部）を固定プレート３０に設けることも可能である。
【００４６】
また、上記実施形態に示す固定プレート３０の形状は一例であり、壁部７０などの取付面に固定される固定プレート３０は、他の形状とすることも可能である。例えば、上記の上板部３１を省略し、側板部３３と下板部３５のみを備える形状とすることも可能である。なお、固定プレート３０に上板部３１を設ける場合は、固定プレート３０の軸部３６に支持具１０の挿入孔１６を被せて固定プレート３０と支持具１０を連結する際に、支持具１０の基部１１が固定プレート３０の上板部３１と干渉しない寸法形状を採用することが必要である。
【符号の説明】
【００４７】
１・・・スピーカ取付装置（機器取付装置），１０・・・支持具（第１部材），１１・・・基部，１３・・・固定ネジ（固定具），１６・・・挿入孔（挿入部），１８・・・内径ギヤ（係合部），１８ａ・・・内径歯，２１・・・スピーカ取付板，２２・・・取付面，２３・・・フランジ部，２３ａ・・・スリット，２４・・・ボルト，２５・・・揺動軸，２６・・・固定ネジ，３０・・・固定プレート（第２部材），３１・・・上板部，３２，３４・・・ボルト，３３・・・側板部，３５・・・下板部，３５ａ・・・上面，３６・・・軸部，３６ｂ・・・括れ部，３８    ・・・外径ギヤ（被係合部），３８ａ・・・外径歯，４０・・・位置決め機構，５０・・・回転機構，６０・・・スピーカユニット（機器），７０・・・壁部，７０ａ・・・天井，７０ｂ・・・側壁
【図１】
2013258531.tif 000003
【図２】
2013258531.tif 000004
【図３】
2013258531.tif 000005
【図４】
2013258531.tif 000006
【図５】
2013258531.tif 000007